(57)【特許請求の範囲】
【請求項１】
吸着材が担持される第１と第２の吸着熱交換器（51,52）が接続されると共に冷媒が循環して冷凍サイクルが行われる冷媒回路（50）と、上記第１と第２の吸着熱交換器（51,52）が設置される熱交換器室（37,38）が形成されるケーシング（11）とを備え、上記冷媒回路（50）の冷媒で吸着熱交換器（51,52）の吸着剤を加熱又は冷却しながら、空気を吸着熱交換器（51,52）の吸着剤と接触させて該空気の湿度調節を行う調湿装置であって、
上記ケーシング（11）には、上記熱交換器室（37,38）の内部をケーシング（11）の外部へ露出させるためのメンテナンス開口部（14a,74a）が形成され、
上記冷媒回路（50）には、上記第１と第２の吸着熱交換器（51,52）を冷媒回路（50）から切り離すための複数の継手部材（64,65,66,67）が接続され、
上記第１と第２の吸着熱交換器（51,52）は、上記メンテナンス開口部（14a,74a）からケーシング（11）の外部へ引き出し可能に構成され、
上記ケーシング（11）には、上記第１吸着熱交換器（51）が設置される第１熱交換器室（37）と、第２吸着熱交換器（52）が設置される第２熱交換器室（38）とが、上記メンテナンス開口部（14a,74a）の手前側から奥側に向かって順に並ぶように形成され、
上記冷媒回路（50）には、上記第１吸着熱交換器（51）のガス側端部に接続する第１継手部材（64）と、上記第２吸着熱交換器（52）のガス側端部に接続する第２継手部材（67）と、上記第１吸着熱交換器（51）の液側端部に接続する第３継手部材（65）と、上記第２吸着熱交換器（52）の液側端部に接続する第４継手部材（66）と、第３継手部材（65）と第４継手部材（66）との間に介設される１本の液管（62b）とが設けられ、
上記第１継手部材（64）と上記第３継手部材（65）とが、上記第１熱交換器室（37）におけるメンテナンス開口（14a,74a）寄りに配置され、
上記第２継手部材（67）と第４継手部材（66）とが、上記第１熱交換器室（37）におけるメンテナンス開口（14a,74）と反対側寄りに配置されていることを特徴とする調湿装置。
【請求項２】
請求項１において、
上記第１熱交換器室（37）と第２熱交換器室（38）との間には、両熱交換器室（37,38）を区画する仕切板（73）が形成されており、
上記仕切板（73）には、上記両熱交換器室（37,38）に亘る第２吸着熱交換器（52）の移動を許容するように該第２吸着熱交換器（52）が通過可能な仕切板開口部（73a）が形成されていることを特徴とする調湿装置。
【請求項３】
請求項２において、
上記第２吸着熱交換器（52）には、上記２つの熱交換器室（37,38）の配列方向に延びる複数の伝熱管（58）と、該複数の伝熱管（58）における上記仕切板（73）側の端部を支持する管板（60a）とが設けられており、
上記第２吸着熱交換器（52）の仕切板（73）側の管板（60a）は、該第２吸着熱交換器（52）が第２熱交換器室（38）に設置される状態で、上記仕切板（73）の仕切板開口部（73a）を閉塞する閉塞部材を兼ねるように構成されていることを特徴とする調湿装置。
【請求項４】
請求項１において、
上記熱交換器室（37）では、上記吸着熱交換器（51）を挟んで上流側と下流側とにそれぞれ空間（37a,37b）が区画され、
上記上流側の空間（37a）と上記下流側の空間（37b）とでは、いずれか一方の空間（37b）の空気流れ方向の幅寸法が他方の空間（37a）の空気流れ方向の幅寸法よりも大きくなっており、
上記継手部材（64,65,66,67）は、上記熱交換器室（37）において上記幅寸法が大きい方の空間（37b）に配設されていることを特徴とする調湿装置。
【請求項５】
請求項１において、
上記熱交換器室（37）では、上記吸着熱交換器（51）の下流側の空間（37b）の方が該吸着熱交換器（51）の上流側の空間（37a）よりも上記幅寸法が大きくなっていることを特徴とする調湿装置。
【請求項６】
請求項１乃至５のいずれか１つにおいて、
上記熱交換器室（37,38）には、上記吸着熱交換器（51,52）の引き出し方向に延びて該吸着熱交換器（51,52）を上記メンテナンス開口部（14a,74a）側に案内するためのレール部材（102,102）が設けられていることを特徴とする調湿装置。
【発明の詳細な説明】
【技術分野】
【０００１】
本発明は、吸着剤が担持された吸着熱交換器で空気の湿度調節を行う調湿装置に関し、特に吸着熱交換器のメンテナンス対策に係るものである。
【背景技術】
【０００２】
従来より、室外空気や室内空気の湿度調節を行い、調湿後の空気を室内へ供給する調湿装置が知られている。この種の調湿装置として、特許文献１には、吸着剤が担持された吸着熱交換器を備えた調湿装置が開示されている。
【０００３】
特許文献１の調湿装置は、冷媒が循環して冷凍サイクルが行われる冷媒回路を有している。冷媒回路には、圧縮機と、第１吸着熱交換器と、第２吸着熱交換器と、膨張弁と、四方切換弁とが接続されている。圧縮機は、ケーシング内の所定の収容室に設けられている。また、第１吸着熱交換器と第２吸着熱交換器とは、ケーシング内の２つの熱交換器室にそれぞれ設置されている。
【０００４】
冷媒回路では、第１吸着熱交換器が凝縮器となって第２吸着熱交換器が蒸発器となる動作と、第２吸着熱交換器が凝縮器となって第１吸着熱交換器が蒸発器となる動作とが行われる。蒸発器として動作する吸着熱交換器では、吸着剤に空気中の水分が吸着される。凝縮器として動作する吸着熱交換器では、水分が吸着剤から脱離して空気に付与される。
【０００５】
また、特許文献１の調湿装置は、各吸着熱交換器を通過した空気の一方を室内へ供給して他方を室外へ排出する。例えば、除湿運転中の調湿装置では、第１及び第２の吸着熱交換器のうち蒸発器として動作する方を通過した空気が室内へ供給されて、凝縮器として動作する方を通過した空気が室外へ排出されるように、ケーシング内での空気の流通経路が設定される。この調湿装置では、このような空気の流通経路を複数のダンパの開閉動作によって切り換えるようにしている。具体的に、この調湿装置では、８つのダンパを開閉制御することで各吸着熱交換器を流通する空気の流通経路を変更し、除湿運転や加湿運転等を切り換えている。
【特許文献１】特開２００６−３４９３０４号公報
【発明の開示】
【発明が解決しようとする課題】
【０００６】
ところで、特許文献１に開示された調湿装置では、必要に応じて上記吸着熱交換器のメンテナンスを行うことがある。具体的に、例えば吸着熱交換器は、表面に吸着剤が担持されているため、この吸着剤が長期の使用に伴い劣化した場合には、吸着剤のメンテナンスを要する。ところが、この種の従来例の調湿装置では、この吸着熱交換器のメンテナンスについて充分考慮されていなかった。従って、吸着熱交換器を容易にメンテナンスできる調湿装置が望まれている。
【０００７】
本発明は、かかる点に鑑みてなされたものであり、その目的は、吸着熱交換器で空気の湿度調節を行う調湿装置において、吸着熱交換器のメンテナンスの簡便化を図ることである。
【課題を解決するための手段】
【０００８】
第１の発明は、吸着材が担持される吸着熱交換器（51,52）が接続されると共に冷媒が循環して冷凍サイクルが行われる冷媒回路（50）と、上記吸着熱交換器（51,52）が設置される熱交換器室（37,38）が形成されるケーシング（11）とを備え、上記冷媒回路（50）の冷媒で吸着熱交換器（51,52）の吸着剤を加熱又は冷却しながら、空気を吸着熱交換器（51,52）の吸着剤と接触させて該空気の湿度調節を行う調湿装置を前提としている。そして、この調湿装置は、上記ケーシング（11）に、上記熱交換器室（37,38）の内部をケーシング（11）の外部へ露出させるためのメンテナンス開口部（14a,74a）が形成され、上記冷媒回路（50）には、上記第１と第２の吸着熱交換器（51,52）を冷媒回路（50）から切り離すための複数の継手部材（64,65,66,67）が接続され、上記第１と第２の吸着熱交換器（51,52）は、上記メンテナンス開口部（14a,74a）からケーシング（11）の外部へ引き出し可能に構成され、上記ケーシング（11）には、上記第１吸着熱交換器（51）が設置される第１熱交換器室（37）と第２吸着熱交換器（52）が設置される第２熱交換器室（38）とが、上記メンテナンス開口部（14a,74a）の手前側から奥側に向かって順に並ぶように形成され、上記冷媒回路（50）には、上記第１吸着熱交換器（51）のガス側端部に接続する第１継手部材（64）と、上記第２吸着熱交換器（52）のガス側端部に接続する第２継手部材（67）と、上記第１吸着熱交換器（51）の液側端部に接続する第３継手部材（65）と、上記第２吸着熱交換器（52）の液側端部に接続する第４継手部材（66）と、第３継手部材（65）と第４継手部材（66）との間に介設される１本の液管（62b）とが設けられ、上記第１継手部材（64）と上記第３継手部材（65）とが、上記第１熱交換器室（37）におけるメンテナンス開口（14a,74a）寄りに配置され、上記第２継手部材（67）と第４継手部材（66）とが、上記第１熱交換器室（37）におけるメンテナンス開口（14a,74）と反対側寄りに配置されていることを特徴とするものである。
【０００９】
第１の発明では、ケーシング（11）の熱交換器室（37,38）に吸着熱交換器（51,52）が設置される。冷媒回路（50）では、冷媒が循環して冷凍サイクルが行われることで、吸着熱交換器（51,52）が蒸発器や凝縮器となる動作が行われる。例えば蒸発器となる吸着熱交換器（51,52）では、冷媒によって吸着剤が冷却される。この状態の吸着熱交換器（51,52）の吸着剤に空気が接触すると、空気中の水分が吸着剤に吸着され、この際に生じる吸着熱が冷媒の蒸発熱として利用される。このようにして水分が吸着された空気が室内へ供給されることで、室内の除湿が行われる。また、例えば凝縮器となる吸着熱交換器（52,51）では、冷媒によって吸着剤が加熱される。この状態の吸着熱交換器（52,51）の吸着剤に空気が接触すると、吸着剤から脱離（脱着）した水分が空気中へ付与される。このようにして水分が付与された空気が室内へ供給されることで、室内の加湿が行われる。
【００１０】
本発明では、上記吸着熱交換器（51,52）が継手部材（64,65,66,67）によって冷媒回路（50）に着脱自在に接続されている。吸着熱交換器（51,52）のメンテナンスを行う際には、メンテナンス開口部（14a,74a）を開放させた状態として、熱交換器室（37,38）の外部へ露出させる。また、継手部材（64,65,66,67）の連結を解除して吸着熱交換器（51,52）を冷媒回路（50）から切り離す。この状態の吸着熱交換器（51,52）をメンテナンス開口部（14a,74a）を通じてケーシング（11）の外部へ引き出すことで、吸着熱交換器（51,52）のメンテナンスが可能となる。
【００１１】
吸着熱交換器（51,52）のメンテナンスが終了した後には、吸着熱交換器（51,52）をメンテナンス開口部（14a,74a）を通じて熱交換器室（37,38）へ入れ込み、吸着熱交換器（51,52）を元の位置に設置すると共に継手部材（64,65,66,67）を介して冷媒回路（50）に接続する。これにより、調湿装置では、上述した除湿運転や加湿運転の再開が可能となる。
【００１２】
第１の発明では、冷媒回路（50）に第１吸着熱交換器（51）と第２吸着熱交換器（52）とが接続され、第１吸着熱交換器（51）が第１熱交換器室（37）に、第２吸着熱交換器（52）が第２熱交換器室（38）にそれぞれ設置される。これにより、本発明では、一方の吸着熱交換器（51,52）を蒸発器として空気の水分を吸着する一方、他方の吸着熱交換器（52,51）を凝縮器として吸着剤の再生を行う動作が可能となる。
【００１３】
本発明では、上記第１吸着熱交換器（51）と第２吸着熱交換器（52）との双方が同じメンテナンス開口部（14a,74a）から出し入れ可能となる。具体的に、各吸着熱交換器（51,52）のメンテナンスを行う際には、継手部材（64,65,66,67）による各吸着熱交換器（51,52）の連結を解除し、両吸着熱交換器（51,52）を冷媒回路（50）から切り離す。そして、第１吸着熱交換器（51）と第２吸着熱交換器（52）とをケーシング（11）の外部へ引き出す。これにより、両方の吸着熱交換器（51,52）をケーシング（11）の同一の側面側に引き出してメンテナンスを行うことができる。
【００１４】
本発明では、各継手部材（64,67,65）の連結を解除することで、各吸着熱交換器（51,52）を個別に引き出すことが可能となる。具体的に、第１継手部材（64）及び第３継手部材（65）の連結をそれぞれ解除すると、第１吸着熱交換器（51）は冷媒回路（50）のガス側配管（61）及び液側配管（62）と切り離される。これにより、第１吸着熱交換器（51）をメンテナンス開口部（14a,74a）を通じてケーシング（11）の外部へ個別に引き出すことができる。また、第２継手部材（67）及び第３継手部材（65）の連結をそれぞれ解除すると、第２吸着熱交換器（52）は冷媒回路（50）のガス側配管（63）及び液側配管（62）と切り離される。これにより、第２吸着熱交換器（52）をメンテナンス開口部（14a,74a）を通じてケーシング（11）の外部へ個別に引き出すことができる。
【００１５】
第１の発明では、冷媒回路（50）における両吸着熱交換器（51,52）の間の液側配管（62）に第３継手部材（65）と第４継手部材（66）とが設けられる。第３継手部材（65）は、第１吸着熱交換器（51）に近い側の配管に接続され、且つ第１熱交換器室（37）におけるメンテナンス開口部（14a,74a）寄りに配置される。従って、メンテナンス時には、第３継手部材（65）の連結及び連結の解除を容易に行うことができる。
【００１６】
一方、第４継手部材（66）は、第２吸着熱交換器（52）に近い側の配管に接続され、且つ第１熱交換器室（37）におけるメンテナンス開口部（14a,74a）と反対側寄りに配置される。従って、メンテナンス時には、第１熱交換器室（37）側から第４継手部材（66）の連結及び連結の解除を行うことができる。また、第３継手部材（65）と第４継手部材（66）との双方の連結を解除すると、第３継手部材（65）と第４継手部材（66）との間の配管（液側配管）を冷媒回路（50）から切り離すことができる。
【００１７】
ここで、第３継手部材（65）と第４継手部材（66）との間の液側配管は、第１熱交換器室（37）においてメンテナンス開口部（14a,74a）側から反対側に亘って配設されるので、その配管長さは比較的大きくなる。従って、仮にこの配管を第１吸着熱交換器（51）や第２吸着熱交換器（52）から切り離すことができない場合、吸着熱交換器（51,52）を引き出すためのスペースに加えてこの配管の引き出しスペースもケーシング（11）の外部で確保する必要がある。その結果、この調湿装置を設置する位置に制限がかかってしまう。
【００１８】
これに対し、本発明では、液側配管（62）に第３継手部材（65）と第４継手部材（66）とを設けることで、これらの継手部材（65,66）の間の配管を冷媒回路（50）から切り離すことができ、この配管を各吸着熱交換器（51,52）とは別にケーシング（11）の外部へ引き出すことができる。従って、各吸着熱交換器（51,52）の引き出しスペースを最小限に抑えることができる。
【００１９】
第１の発明では、各吸着熱交換器（51,52）を冷媒回路（50）から切り離すための継手部材（64,65,66,67）が、全て第１熱交換器室（37）に集約して設けられる。ここで、第１熱交換器室（37）は、メンテナンス開口部（14a,74a）に対して手前側に位置しているので、メンテナンス開口部（14a,74a）側から全ての継手部材（64,65,66,67）の連結や連結の解除を容易に行うことができる。
【００２０】
第２の発明は、第１の発明の調湿装置において、上記第１熱交換器室（37）と第２熱交換器室（38）との間には、両熱交換器室（37,38）を区画する仕切板（73）が形成されており、上記仕切板（73）には、上記両熱交換器室（37,38）に亘る第２吸着熱交換器（52）の移動を許容するように該第２吸着熱交換器（52）が通過可能な仕切板開口部（73a）が形成されていることを特徴とするものである。
【００２１】
第２の発明では、第１熱交換器室（37）と第２熱交換器室（38）との間に仕切板（73）が設けられる。この仕切板（73）には、第２吸着熱交換器（52）が通過可能な仕切板開口部（73a）が形成される。従って、本発明では、この仕切板（73）をケーシング（11）に取り付けたまま、第２吸着熱交換器（52）をメンテナンス開口部（14a,74a）からケーシング（11）の外部へ引き出すことができる。
【００２２】
具体的に、各吸着熱交換器（51,52）のメンテナンスを行う際には、各吸着熱交換器（51,52）を冷媒回路（50）から切り離す。この状態で、第１吸着熱交換器（51）をメンテナンス開口部（14a,74a）を通じてケーシング（11）の外部へ引き出す。また、第２熱交換器室（38）の第２吸着熱交換器（52）を仕切板（73）の仕切板開口部（73a）を通じて第１熱交換器室（37）へ引き出し、更にメンテナンス開口部（14a,74a）を通じてケーシング（11）の外部へ引き出す。これにより、仕切板（73）をケーシング（11）から取り外すことなく、第２吸着熱交換器（52）のメンテナンスを行うことができる。
【００２３】
第３の発明は、第２の発明の調湿装置において、上記第２吸着熱交換器（52）には、上記２つの熱交換器室（37,38）の配列方向に延びる複数の伝熱管（58）と、該複数の伝熱管（58）における上記仕切板（73）側の端部を支持する管板（60a）とが設けられており、上記第２吸着熱交換器（52）の仕切板（73）側の管板（60a）は、該第２吸着熱交換器（52）が第２熱交換器室（38）に設置される状態で、上記仕切板（73）の仕切板開口部（73a）を閉塞する閉塞部材を兼ねるように構成されていることを特徴とするものである。
【００２４】
第３の発明では、第２吸着熱交換器（52）が第２熱交換器室（38）の所定の位置に設置された状態で、第２吸着熱交換器（52）の管板（60a）が仕切板（73）の仕切板開口部（73a）を閉塞する。つまり、第２吸着熱交換器（52）の管板（60a）は、伝熱管（58）を支持するための部材だけでなく、通常の設置位置において、仕切板開口部（73a）を閉塞するための閉塞部材を兼ねている。これにより、第１熱交換器室（37）と第２熱交換器室（38）との間での空気の漏れが上記管板（60a）によって抑制されるので、各熱交換器室（37,38）で所望とする空気の調湿効果を得ることができる。
【００２５】
第４の発明は、第１の発明の調湿装置において、上記熱交換器室（37）では、上記吸着熱交換器（51）を挟んで上流側と下流側とにそれぞれ空間（37a,37b）が区画され、上記上流側の空間（37a）と上記下流側の空間（37b）とでは、いずれか一方の空間（37b）の空気流れ方向の幅寸法が他方の空間（37a）の空気流れ方向の幅寸法よりも大きくなっており、上記継手部材（64,65,66,67）は、上記熱交換器室（37）において上記幅寸法が大きい方の空間（37b）に配設されていることを特徴とするものである。
【００２６】
第４の発明では、熱交換器室（37）における吸着熱交換器（51）の上流側と下流側とに空間が区画される。そして、両者の空間では、その一方の空間の幅寸法（空気流れ方向の間隔）が他方の空間の幅寸法よりも大きくなっている。ここで、本発明では、これらの空間のうち、幅寸法が大きい方の空間に上記継手部材（64,65,66,67）が設けられる。従って、継手部材（64,65,66,67）の周囲のスペースが大きくなるので、継手部材（64,65,66,67）の連結や連結の解除作業がやり易くなる。
【００２７】
第５の発明は、第１の発明の調湿装置において、上記熱交換器室（37）では、上記吸着熱交換器（51）の下流側の空間（37b）の方が該吸着熱交換器（51）の上流側の空間（37a）よりも上記幅寸法が大きくなっていることを特徴とするものである。
【００２８】
第９の発明では、熱交換器室（37）における吸着熱交換器（51）の下流側の空間（37b）が上流側の空間（37a）よりも幅広となっている。そして、継手部材（64,65,66,67）は、上記下流側の空間（37b）に配設される。従って、吸着熱交換器（51）の下流側の空間（37b）において、継手部材（64,65,66,67）の周囲のスペースが大きくなるので、継手部材（64,65,66,67）の連結や連結の解除作業がやり易くなる。
【００２９】
第６の発明は、第１乃至第５のいずれか１つの発明の調湿装置において、上記熱交換器室（37,38）には、上記吸着熱交換器（51,52）の引き出し方向に延びて該吸着熱交換器（51,52）を上記メンテナンス開口部（14a,74a）側に案内するためのレール部材（102,102）が設けられていることを特徴とするものである。
【００３０】
第６の発明では、熱交換器室（37,38）にレール部材（102,102）が設けられる。吸着熱交換器（51,52）のメンテナンスを行う際には、吸着熱交換器（51,52）をレール部材（102,102）に沿うようにメンテナンス開口部（14a,74a）側へ引き出す。これにより、ケーシング（11）に対する吸着熱交換器（51,52）の出し入れが容易となる。
【発明の効果】
【００３１】
本発明では、吸着熱交換器（51,52）を冷媒回路（50）から切り離し可能に構成すると共に、熱交換器室（37,38）の吸着熱交換器（51,52）をメンテナンス開口部（14a,74a）を通じてケーシング（11）の外部へ引き出し可能としている。従って、吸着熱交換器（51,52）をケーシング（11）の外部へ容易に取り出してメンテナンスを行うことができる。
【００３２】
また、第１の発明によれば、２つの吸着熱交換器（51,52）をメンテナンス開口部（14a,74a）を通じてケーシング（11）の外部へ取り出して、各吸着熱交換器（51,52）のメンテナンスを行うことができる。ここで、各吸着熱交換器（51,52）は、同一のメンテナンス開口部（14a,74a）から取り出せるので、ケーシング（11）の周りでのメンテナンススペースを最小限に抑えることができ、且つ装置構造の簡素化を図ることができる。
【００３３】
第１の発明では、第１吸着熱交換器（51）と第２吸着熱交換器（52）との間の液側配管（62）に第３継手部材（65）と第４継手部材（66）とを接続している。そして、第１吸着熱交換器（51）側に近い第３継手部材（65）を第１熱交換器室（37）におけるメンテナンス開口部（14a,74a）寄りに配置し、第２吸着熱交換器（52）側に近い第４継手部材（66）を第１熱交換器室（37）におけるメンテナンス開口部（14a,74a）と反対側寄りに配置している。これにより、本発明によれば、第３継手部材（65）の連結及び連結解除の作業をメンテナンス開口部（14a,74a）側から容易に行うことができる。また、第４継手部材（66）の連結及び連結解除の作業も第１熱交換器室（37）側から行うことができる。
【００３４】
加えて第１の発明では、第３継手部材（65）と第４継手部材（66）との間の配管を冷媒回路（50）から切り離すことができるので、この配管を各吸着熱交換器（51,52）と別にメンテナンス開口部（14a,74a）から引き出すことができる。従って、ケーシング（11）の周りでのメンテナンススペースを更に削減することができる。
【００３５】
第１の発明によれば、全ての継手部材（64,65,66,67）を第１熱交換器室（37）側に配設するようにしたので、各継手部材（64,65,66,67）の連結及び連結解除作業をメンテナンス開口部（14a,74a）側から容易に行うことができる。
【００３６】
更に、第２の発明では、２つの熱交換器室（37,38）を区画する仕切板（73）に第２吸着熱交換器（52）が通過可能な仕切板開口部（73a）を構成している。これにより、本発明によれば、仕切板（73）をケーシング（11）から取り外すことなく、第２熱交換器室（38）の第２吸着熱交換器（52）を仕切板開口部（73a）を通じて第１熱交換器室（37）へ移動させ、更に第１熱交換器室（37）から仕切板開口部（73a）を通じてケーシング（11）の外部へ引き出すことができる。従って、比較的単純な構造により、第２吸着熱交換器（52）のメンテナンスを行うことができる。
【００３７】
特に第３の発明では、第２吸着熱交換器（52）の通常の設置状態において、第２吸着熱交換器（52）の管板（60a）が仕切板開口部（73a）の閉塞部材を兼ねるようにしている。これにより、本発明によれば、部品点数の増大を招くことなく、仕切板開口部（73a）における空気の漏れを抑制でき、この調湿装置で所望とする調湿能力を得ることができる。
【００３８】
更に、第４及び第５の発明では、熱交換器室（37,38）における吸着熱交換器（51）の上流側と下流側の空間（37a,37b）のうち幅広となる空間（37b）に継手部材（64,65,66,67）を配設するようにしている。これにより、本発明によれば、継手部材（64,65,66,67）の連結及び連結の解除作業を行うためのスペースを充分確保することができ、メンテナンス性が更に向上する。
【００３９】
第６の発明によれば、熱交換器室（37,38）に吸着熱交換器（51,52）を案内するためのレール部材（102,102）を設けるようにしたので、吸着熱交換器（51,52）の出し入れの作業が容易となり、メンテナンス性が更に向上する。
【発明を実施するための最良の形態】
【００４０】
以下、本発明の実施形態を図面に基づいて詳細に説明する。本実施形態の調湿装置（10）は、室内の湿度調節と共に室内の換気を行うものであり、取り込んだ室外空気（OA）を湿度調節して室内へ供給すると同時に、取り込んだ室内空気（RA）を室外に排出する。
【００４１】
〈調湿装置の全体構成〉
調湿装置（10）について、図１〜図５を適宜参照しながら説明する。なお、ここでの説明で用いる「上」「下」「左」「右」「前」「後」「手前」「奥」は、特にことわらない限り、調湿装置（10）を前面側から見た場合の方向を意味している。
【００４２】
調湿装置（10）は、ケーシング（11）を備えている。また、ケーシング（11）内には、冷媒回路（50）が収容されている。この冷媒回路（50）には、第１吸着熱交換器（51）、第２吸着熱交換器（52）、圧縮機（53）、四方切換弁（54）、及び電動膨張弁（55）が接続されている。冷媒回路（50）の詳細は後述する。
【００４３】
ケーシング（11）は、やや扁平で高さが比較的低い直方体状に形成されている。このケーシング（11）は、その左右方向の幅が奥行きよりも幾分長くなっている（図３を参照）。ケーシング（11）では、図１における左手前の側面（即ち、前面）を形成する部分が前面パネル部（12）となり、同図における右奥の側面（即ち、背面）を形成する部分が背面パネル部（13）となっている。また、このケーシング（11）では、同図における右手前の側面を形成する部分が第１側面パネル部（14）となり、同図における左奥の側面を形成する部分が第２側面パネル部（15）となっている。ケーシング（11）では、前面パネル部（12）と背面パネル部（13）とが互いに対向し、第１側面パネル部（14）と第２側面パネル部（15）とが互いに対向している。
【００４４】
ケーシング（11）には、外気吸込口（24）と、内気吸込口（23）と、給気口（22）と、排気口（21）とが形成されている。
【００４５】
外気吸込口（24）及び内気吸込口（23）は、背面パネル部（13）に開口している（図３，図４を参照）。外気吸込口（24）は、背面パネル部（13）の下側部分に配置されている。また、外気吸込口（24）は、背面パネル部（13）の左右幅方向の中央から第２側面パネル部（15）側へオフセットした位置に設けられている。内気吸込口（23）は、背面パネル部（13）の上側部分に配置されている。また、内気吸込口（23）は、背面パネル部（13）の左右幅方向の中央から第１側面パネル部（14）側へオフセットした位置に設けられている。
【００４６】
給気口（22）は、第１側面パネル部（14）における前面パネル部（12）側の端部付近に配置されている。排気口（21）は、第２側面パネル部（15）における前面パネル部（12）側の端部付近に配置されている。
【００４７】
ケーシング（11）の内部空間には、上流側仕切板（71）と、下流側仕切板（72）と、中央仕切板（73）と、第１仕切板（74）と、第２仕切板（75）とが設けられている。これらの仕切板（71〜75）は、何れもケーシング（11）の底板に立設されており、ケーシング（11）の内部空間をケーシング（11）の底板から天板に亘って区画している。
【００４８】
上流側仕切板（71）及び下流側仕切板（72）は、前面パネル部（12）及び背面パネル部（13）と平行に配置されている。ケーシング（11）の内部空間において、上流側仕切板（71）は背面パネル部（13）寄りに配置され、下流側仕切板（72）は前面パネル部（12）寄りに配置されている。
【００４９】
上流側仕切板（71）の左右方向の幅は、ケーシング（11）の左右方向の幅よりも短くなっている。上流側仕切板（71）の右端部は、第１側面パネル部（14）に接合されている。一方、上流側仕切板（71）の左端部と第２側面パネル部（15）との間には、隙間が形成されている。
【００５０】
下流側仕切板（72）の左右方向の幅は、上流側仕切板（71）の左右方向の幅よりも短くなっている。下流側仕切板（72）の右端部と第１側面パネル部（14）との間には、隙間が形成されている。また、下流側仕切板（72）の左端部と第２側面パネル部（15）との間にも、隙間が形成されている。
【００５１】
第１仕切板（74）は、上流側仕切板（71）と下流側仕切板（72）の間の空間を右側から塞ぐように配置されている。具体的に、第１仕切板（74）は、第１側面パネル部（14）と平行となり、且つ上流側仕切板（71）及び下流側仕切板（72）と直交する姿勢で配置されている。第１仕切板（74）の前端部は、下流側仕切板（72）の右端部に接合されている。第１仕切板（74）の後端部は、下流側仕切板（72）に接合されている。
【００５２】
第２仕切板（75）は、上流側仕切板（71）と下流側仕切板（72）の間の空間を左側から塞ぐように配置されている。具体的に、第２仕切板（75）は、第２側面パネル部（15）と平行となり、且つ上流側仕切板（71）及び下流側仕切板（72）と直交する姿勢で配置されている。第２仕切板（75）の前端部は、下流側仕切板（72）の左端部に接合されている。第２仕切板（75）の後端部は、背面パネル部（13）に接合されている。また、この第２仕切板（75）には、上流側仕切板（71）の左端部が接合されている。
【００５３】
中央仕切板（73）は、上流側仕切板（71）及び下流側仕切板（72）と直交する姿勢で、上流側仕切板（71）と下流側仕切板（72）の間に配置されている。中央仕切板（73）は、上流側仕切板（71）から下流側仕切板（72）に亘って設けられ、上流側仕切板（71）と下流側仕切板（72）の間の空間を左右に区画している。また、中央仕切板（73）は、上流側仕切板（71）及び下流側仕切板（72）の左右幅方向の中央よりも第２側面パネル部（15）側へ幾分寄った位置に設けられている。
【００５４】
ケーシング（11）の内部空間には、内外通路仕切板（70）も形成されている（図２，図４，図５を参照）。内外通路仕切板（70）は、上流側仕切板（71）及び背面パネル部（13）と直交するような水平な姿勢で、上流側仕切板（71）と背面パネル部（13）の間に配置されている。そして、内外通路仕切板（70）は、上流側仕切板（71）と背面パネル部（13）の間の空間を上下２つの空間に仕切っている。上下に仕切られたこの空間は、上側の空間が内気側通路（32）を構成し、下側の空間が外気側通路（34）を構成している。つまり、内外通路仕切板（70）は、内気側通路（32）と外気側通路（34）とを区画形成するように両通路（32,34）に介設する仕切板を構成している。
【００５５】
外気側通路（34）は、外気吸込口（24）に接続するダクトを介して室外空間と連通している。つまり、外気側通路（34）は、ケーシング（11）内に取り込まれる室外空気が流れる第１空気通路を構成している。外気側通路（34）には、空気から塵埃等を除去するための外気側フィルタ（28）が設けられている。外気側フィルタ（28）は、長辺が左右幅方向へ延びる長方形板状に形成され、外気側通路（34）を横断する姿勢で立設されている。外気側通路（34）は、この外気側フィルタ（28）によって前後に区画されている。外気側通路（34）における外気側フィルタ（28）の前側（下流側）の部分には、外気側通路（34）を流れる室外空気の湿度を検知する外気湿度センサ（97）が収容されている（図２を参照）。
【００５６】
内気側通路（32）は、内気吸込口（23）に接続するダクトを介して室内と連通している。つまり、内気側通路（32）は、ケーシング（11）内に取り込まれる室内空気が流れる第２空気通路を構成している。内気側通路（32）には、空気から塵埃等を除去するための内気側フィルタ（27）が設けられている。内気側フィルタ（27）は、長辺が左右幅方向へ延びる長方形板状に形成され、内気側通路（32）を横断する姿勢で立設されている。内気側通路（32）は、この内気側フィルタ（27）によって前後に区画されている。内気側通路（32）における内気側フィルタ（27）の前側（下流側）の部分には、内気側通路（32）を流れる室内空気の湿度を検知する内気湿度センサ（96）が収容されている（図３、図４を参照）。
【００５７】
上述したように、ケーシング（11）内における上流側仕切板（71）と下流側仕切板（72）の間の空間は、中央仕切板（73）によって左右に区画されている。左右に仕切られたこの空間は、中央仕切板（73）の右側の空間が第１熱交換器室（37）を構成し、中央仕切板（73）の左側の空間が第２熱交換器室（38）を構成している（図１，図３を参照）。
【００５８】
第１熱交換器室（37）には、第１吸着熱交換器（51）が収容されている。第２熱交換器室（38）には、第２吸着熱交換器（52）が収容されている。各吸着熱交換器（51,52）は、全体として長方形の厚板状あるいは扁平な直方体状に形成されている。吸着熱交換器（51,52）の詳細は後述する。
【００５９】
ケーシング（11）の内部空間では、下流側仕切板（72）の前面に沿った部分が上下に仕切られている（図２，図３，図５を参照）。上下に仕切られたこの空間は、上側の空間が給気側通路（31）を構成し、下側の空間が排気側通路（33）を構成している。
【００６０】
上流側仕切板（71）は、上記各熱交換器室（37,38）と上記内気側通路（32）及び外気側通路（34）とをそれぞれ区画すると共に、複数のダンパ（41〜44）を有するダンパ側仕切板を構成している。具体的に、上流側仕切板（71）には、各熱交換器室（37,38）と内気側通路（32）及び外気側通路（34）とを断続するための開閉式のダンパ（41〜44）が４つ設けられている（図３，図５を参照）。各ダンパ（41〜44）は、概ね横長の長方形状に形成されている。具体的に、上流側仕切板（71）のうち内気側通路（32）に面する部分（上側部分）では、中央仕切板（73）よりも右側に第１内気側ダンパ（41）が取り付けられ、中央仕切板（73）よりも左側に第２内気側ダンパ（42）が取り付けられる。また、上流側仕切板（71）のうち外気側通路（34）に面する部分（下側部分）では、中央仕切板（73）よりも右側に第１外気側ダンパ（43）が取り付けられ、中央仕切板（73）よりも左側に第２外気側ダンパ（44）が取り付けられる。
【００６１】
第１内気側ダンパ（41）を開閉すると、内気側通路（32）と第１熱交換器室（37）の間が断続される。第２内気側ダンパ（42）を開閉すると、内気側通路（32）と第２熱交換器室（38）の間が断続される。第１外気側ダンパ（43）を開閉すると、外気側通路（34）と第１熱交換器室（37）の間が断続される。第２外気側ダンパ（44）を開閉すると、外気側通路（34）と第２熱交換器室（38）の間が断続される。
【００６２】
上流側仕切板（71）において、第１外気側ダンパ（43）は、第１内気側ダンパ（41）の真下に配置されている。第１内気側ダンパ（41）及び第１外気側ダンパ（43）は、それぞれの左右幅方向の中央が第１熱交換器室（37）の左右幅方向の中央よりも中央仕切板（73）寄り（即ち、第２側面パネル部（15）寄り）となる位置に設置されている（図３を参照）。
【００６３】
また、上流側仕切板（71）において、第２外気側ダンパ（44）は、第２内気側ダンパ（42）の真下に配置されている。第２内気側ダンパ（42）及び第２外気側ダンパ（44）は、それぞれの左右幅方向の中央が第２熱交換器室（38）の左右幅方向の中央よりも中央仕切板（73）寄り（即ち、第１側面パネル部（14）寄り）となる位置に設置されている（図３を参照）。
【００６４】
下流側仕切板（72）には、開閉式のダンパ（45〜48）が４つ設けられている（図３，図５を参照）。各ダンパ（45〜48）は、概ね横長の長方形状に形成されている。具体的に、下流側仕切板（72）のうち給気側通路（31）に面する部分（上側部分）では、中央仕切板（73）よりも右側に第１給気側ダンパ（45）が取り付けられ、中央仕切板（73）よりも左側に第２給気側ダンパ（46）が取り付けられる。また、下流側仕切板（72）のうち排気側通路（33）に面する部分（下側部分）では、中央仕切板（73）よりも右側に第１排気側ダンパ（47）が取り付けられ、中央仕切板（73）よりも左側に第２排気側ダンパ（48）が取り付けられる。
【００６５】
第１給気側ダンパ（45）を開閉すると、給気側通路（31）と第１熱交換器室（37）の間が断続される。第２給気側ダンパ（46）を開閉すると、給気側通路（31）と第２熱交換器室（38）の間が断続される。第１排気側ダンパ（47）を開閉すると、排気側通路（33）と第１熱交換器室（37）の間が断続される。第２排気側ダンパ（48）を開閉すると、排気側通路（33）と第２熱交換器室（38）の間が断続される。
【００６６】
下流側仕切板（72）において、第１排気側ダンパ（47）は、第１給気側ダンパ（45）の真下に配置されている。第１給気側ダンパ（45）及び第１排気側ダンパ（47）は、それぞれの左右幅方向の中央が第１熱交換器室（37）の左右幅方向の中央よりも中央仕切板（73）寄り（即ち、第２側面パネル部（15）寄り）となる位置に設置されている（図３を参照）。
【００６７】
また、下流側仕切板（72）において、第２排気側ダンパ（48）は、第２給気側ダンパ（46）の真下に配置されている。第２排気側ダンパ（48）及び第２給気側ダンパ（46）は、それぞれの左右幅方向の中央が第２熱交換器室（38）の左右幅方向の中央よりも中央仕切板（73）寄り（即ち、第１側面パネル部（14）寄り）となる位置に設置されている（図３を参照）。
【００６８】
ケーシング（11）内では、給気側通路（31）及び排気側通路（33）と前面パネル部（12）との間の空間が、給排気仕切板（77）によって左右に仕切られている。この左右に仕切られた空間は、給排気仕切板（77）の右側の空間が給気ファン室（36）を構成し、給排気仕切板（77）の左側の空間が排気ファン室（35）を構成している。この給排気仕切板（77）は、中央仕切板（73）よりも更に第２側面パネル部（15）寄りに立設されている。給気ファン室（36）及び排気ファン室（35）は、何れもケーシング（11）の底板から天板に亘る空間である。
【００６９】
給気ファン室（36）には、給気ファン（26）が収容されている。また、排気ファン室（35）には排気ファン（25）が収容されている。給気ファン（26）及び排気ファン（25）は、何れも遠心型の多翼ファン（いわゆるシロッコファン）である。
【００７０】
具体的に、これらのファン（25,26）は、ファンロータと、ファンケーシング（86）と、ファンモータ（89）とを備えている。図示しないが、ファンロータは、その軸方向の長さが直径に比べて短い円筒状に形成され、その周側面に多数の翼が形成されている。ファンロータは、ファンケーシング（86）に収容されている。ファンケーシング（86）では、その側面（ファンロータの軸方向と直交する側面）の一方に吸入口（87）が開口している。また、ファンケーシング（86）には、その周側面から外側へ突出する部分が形成されており、その部分の突端に吹出口（88）が開口している。ファンモータ（89）は、ファンケーシング（86）における吸入口（87）と反対側の側面に取り付けられている。ファンモータ（89）は、ファンロータに連結されてファンロータを回転駆動する。
【００７１】
給気ファン（26）及び排気ファン（25）において、ファンロータがファンモータ（89）によって回転駆動されると、吸入口（87）を通ってファンケーシング（86）内へ空気が吸い込まれ、ファンケーシング（86）内の空気が吹出口（88）から吹き出される。
【００７２】
給気ファン室（36）において、給気ファン（26）は、ファンケーシング（86）の吸入口（87）が下流側仕切板（72）と対面する姿勢で設置されている。また、この給気ファン（26）のファンケーシング（86）の吹出口（88）は、給気口（22）に連通する状態で第１側面パネル部（14）に取り付けられている。
【００７３】
排気ファン室（35）において、排気ファン（25）は、ファンケーシング（86）の吸入口（87）が下流側仕切板（72）と対面する姿勢で設置されている。また、この排気ファン（25）のファンケーシング（86）の吹出口（88）は、排気口（21）に連通する状態で第２側面パネル部（15）に取り付けられている。
【００７４】
給気ファン室（36）には、冷媒回路（50）の圧縮機（53）と四方切換弁（54）とが収容されている。圧縮機（53）及び四方切換弁（54）は、給気ファン室（36）における給気ファン（26）と給排気仕切板（77）との間に配置されている。
【００７５】
ケーシング（11）内において、第１仕切板（74）と第１側面パネル部（14）の間の空間は、第１バイパス通路（81）を構成している（図２，図３を参照）。また、ケーシング（11）内において、第２仕切板（75）と第２側面パネル部（15）の間の空間は、第２バイパス通路（82）を構成している（図３，図４を参照）。第１バイパス通路（81）及び第２バイパス通路（82）は、ケーシング（11）の底板から天板に亘る空間である。第１バイパス通路（81）の通路幅は、第２バイパス通路（82）の通路幅よりも長くなっている。
【００７６】
第１バイパス通路（81）の始端（背面パネル部（13）側の端部）は、外気側通路（34）だけに連通しており、内気側通路（32）からは遮断されている。この第１バイパス通路（81）は、外気側通路（34）における外気側フィルタ（28）の下流側部分と連通している。第１バイパス通路（81）の終端（前面パネル部（12）側の端部）は、仕切板（78）によって、給気側通路（31）、排気側通路（33）、及び給気ファン室（36）から区画されている。仕切板（78）のうち給気ファン室（36）に臨む部分には、第１バイパス用ダンパ（83）が設けられている。第１バイパス用ダンパ（83）は、概ね縦長の長方形状に形成されている。第１バイパス用ダンパ（83）を開閉すると、第１バイパス通路（81）と給気ファン室（36）との間が断続される。
【００７７】
第２バイパス通路（82）の始端（背面パネル部（13）側の端部）は、内気側通路（32）だけに連通しており、外気側通路（34）からは遮断されている。この第２バイパス通路（82）は、第２仕切板（75）に形成された連通口（76）を介して、内気側通路（32）における内気側フィルタ（27）の下流側部分と連通している。第２バイパス通路（82）の終端（前面パネル部（12）側の端部）は、仕切板（79）によって、給気側通路（31）、排気側通路（33）、及び排気ファン室（35）から区画されている。仕切板（79）のうち排気ファン室（35）に臨む部分には、第２バイパス用ダンパ（84）が設けられている。第２バイパス用ダンパ（84）は、概ね縦長の長方形状に形成されている。第２バイパス用ダンパ（84）を開閉すると、第２バイパス通路（82）と排気ファン室（35）との間が断続される。
【００７８】
なお、図５の右側面図及び左側面図では、第１バイパス通路（81）、第２バイパス通路（82）、第１バイパス用ダンパ（83）、及び第２バイパス用ダンパ（84）の図示を省略している。
【００７９】
ケーシング（11）の前面パネル部（12）では、その右寄りの部分に電装品箱（90）が取り付けられている。なお、図２及び図５において、電装品箱（90）は省略されている。電装品箱（90）は、直方体状の箱であって、その内部に制御用基板（91）と電源用基板（92）とが収容されている。制御用基板（91）及び電源用基板（92）は、電装品箱（90）の側板のうち前面パネル部（12）に隣接するもの（即ち、背面板）の内側面に取り付けられている。電源用基板（92）のインバータ部には、放熱フィン（93）が設けられている。この放熱フィン（93）は、電源用基板（92）の背面に突設されており、電装品箱（90）の背面板とケーシング（11）の前面パネル部（12）とを貫通して給気ファン室（36）に露出している（図３，図４を参照）。
【００８０】
ケーシング（11）内において、圧縮機（53）、ファン（25,26）、ダンパ（41〜48）、湿度センサ（96,97）等に接続するリード線は、電装品箱（90）の内部へと延びている。そのうち、上流側仕切板（71）に取り付けられたダンパ（41〜44）の駆動モータに接続するリード線や、湿度センサ（96,97）に接続するリード線は、第１バイパス通路（81）を通って電装品箱（90）へと延びている。
【００８１】
ケーシング（11）の第１側面パネル部（14）には、ケーシング（11）に対して着脱自在な第１開閉パネル（14a）が形成されている。第１開閉パネル（14a）は、第１バイパス通路（81）に臨むようにして第１側面パネル部（14）の長手方向の中間部位に形成されている。第１開閉パネル（14a）を取り外した状態では、ケーシング（11）の外部に対して上記第１仕切板（74）が露出される状態となる（図２を参照）。第１仕切板（74）には、ケーシング（11）に対して着脱自在な第２開閉パネル（74a）が形成されている。第２開閉パネル（74a）は、第１熱交換器室（37）に臨むようにして第１仕切板（74）の後方寄りに形成されている。第２開閉パネル（74a）を取り外した状態では、第１バイパス通路（81）側に向かって第１熱交換器室（37）が露出される状態となる。以上のように、第１開閉パネル（14a）及び第２開閉パネル（74a）は、ケーシング（11）の外部に対して第１熱交換器室（37）を露出させるためのメンテナンス開放部を構成している。
【００８２】
〈冷媒回路の構成〉
上記冷媒回路（50）について、図６を参照しながら説明する。
【００８３】
上記冷媒回路（50）は、第１吸着熱交換器（51）、第２吸着熱交換器（52）、圧縮機（53）、四方切換弁（54）、及び電動膨張弁（55）が設けられた閉回路である。この冷媒回路（50）は、充填された冷媒を循環させることによって、蒸気圧縮冷凍サイクルを行う。
【００８４】
上記冷媒回路（50）において、圧縮機（53）は、その吐出側が四方切換弁（54）の第１のポートに、その吸入側が四方切換弁（54）の第２のポートにそれぞれ接続されている。第１吸着熱交換器（51）の一端は、第１連絡配管（61）を介して四方切換弁（54）の第３のポートに接続されている。第１吸着熱交換器（51）の他端は、中間配管（62）を介して第２吸着熱交換器（52）の一端に接続されている。第２吸着熱交換器（52）の他端は、第２連絡配管（63）を介して四方切換弁（54）の第４のポートに接続されている。
【００８５】
第１連絡配管（61）は、第１吸着熱交換器（51）のガス側配管を構成している。第１連絡配管（61）には、第１継手部材（64）が設けられている。第２連絡配管（63）は、第２吸着熱交換器（52）のガス側配管を構成している。第２連絡配管（63）には、第２継手部材（67）が設けられている。中間配管（62）は、第１吸着熱交換器（51）と第２吸着熱交換器（52）との間の液側配管を構成している。中間配管（62）には、第１吸着熱交換器（51）側から第２吸着熱交換器（52）側に向かって順に、上記電動膨張弁（55）、第３継手部材（65）、及び第４継手部材（66）が接続されている。各継手部材（64,65,66,67）は、雄ネジ部及び該雄ネジ部の先端に形成されるテーパ状の外周面を有する継手本体（64a,65a,66a,67a）と、継手本体に螺合する雌ネジ及び上記テーパ外周面と密着するテーパ状の内周面を有するフレアナット（64b,65b,66b,67b）とから成る、いわゆるフレア継手により構成されている（詳細は後述する）。
【００８６】
上記四方切換弁（54）は、第１のポートと第３のポートが連通して第２のポートと第４のポートが連通する第１状態（図６(Ａ)に示す状態）と、第１のポートと第４のポートが連通して第２のポートと第３のポートが連通する第２状態（図６(Ｂ)に示す状態）とに切り換え可能となっている。
【００８７】
図７に示すように、第１吸着熱交換器（51）及び第２吸着熱交換器（52）は、何れもクロスフィン型のフィン・アンド・チューブ熱交換器によって構成されている。各吸着熱交換器（51,52）は、室外空気（OA）や室内空気（RA）の調湿を行う調湿手段を構成している。これら吸着熱交換器（51,52）は、銅製の伝熱管（58）とアルミニウム製のフィン（57）とを備えている。吸着熱交換器（51,52）に設けられた複数のフィン（57）は、それぞれが長方形板状に形成され、一定の間隔で並べられている。また、伝熱管（58）は、フィン（57）の配列方向に蛇行する形状となっている。つまり、この伝熱管（58）では、各フィン（57）を貫通する直管部と、隣り合った直管部同士を接続するＵ字管部（59）とが交互に形成されている。また、各吸着熱交換器（51,52）では、各伝熱管（58）の長手方向の両端部に詳細は後述する管板（60）が設けられている。なお、図７では、管板（60）の図示を省略している。
【００８８】
上記各吸着熱交換器（51,52）では、各フィン（57）の表面に吸着剤が担持されており、フィン（57）の間を通過する空気がフィン（57）に担持された吸着剤と接触する。この吸着剤としては、ゼオライト、シリカゲル、活性炭、親水性の官能基を有する有機高分子材料など、空気中の水蒸気を吸着できるものが用いられる。
【００８９】
本実施形態の調湿装置（10）では、冷媒回路（50）が熱媒回路を構成する。この冷媒回路（50）では、２つの吸着熱交換器（51,52）のうち凝縮器として動作する方に高圧のガス冷媒が加熱用の熱媒流体として供給され、蒸発器として動作する方に低圧の気液二相冷媒が冷却用の熱媒流体として供給される。
【００９０】
〈吸着熱交換器の取付構造〉
次に、熱交換器室（37,38）における吸着熱交換器（51,52）の取付構造の詳細について説明する。
【００９１】
上記各吸着熱交換器（51,52）は、その伝熱管（58）が各熱交換器室（37,38）の配列方向（左右方向）に延びるように各熱交換器室（37,38）に立設されている。各吸着熱交換器（51,52）は、左右幅方向に概ね一直線上に並んで配置されている。
【００９２】
図８に示すように、各熱交換器室（37,38）の底板には、これらの熱交換器室（37,38）に跨るように台座（101）が敷設されている。即ち、台座（101）は、第１仕切板（74）から第２仕切板（75）に亘って左右方向に延びて形成されている。そして、台座（101）の上端面（101a）に第１吸着熱交換器（51）と第２吸着熱交換器（52）とが設置されている。また、台座（101）の上端面には、その前端部と後端部とにそれぞれレール部材（102）が形成されている。一対のレール部材（102,102）は、互いに平行な姿勢で第１仕切板（74）から第２仕切板（75）に亘って延びている。そして、両レール部材（102,102）の間に各吸着熱交換器（51,52）が嵌り込んでいる。即ち、台座（101）のレール部材（102）は、各吸着熱交換器（51,52）をスライド自在に案内する案内部材を構成している。
【００９３】
更に、上記台座（101）の上端面（101a）の表面には、ナイロン単繊維から成る、いわゆる植毛材が形成されている。この植毛材により、各吸着熱交換器（51,52）のスライド動作が円滑となり、且つ台座（101）の表面が摩耗してしまうことが抑制されている。
【００９４】
第１熱交換器室（37）には、第１吸着熱交換器（51）の上流側（後側）の上端部に第１フレーム部材（103）が設けられている（例えば図１及び図４を参照）。第１フレーム部材（103）は、その縦断面がＬ字状であって、第１仕切板（74）から中央仕切板（73）に亘って延びて形成されている。第１フレーム部材（103）は、その一方の側面がケーシング（11）の天板に固定され、他方の側面が第１内気側ダンパ（41）側を向くようにケーシング（11）に支持されている。
【００９５】
また、第１吸着熱交換器（51）の上流端近傍には、第１枠部材（104）が設けられている（例えば図１及び図９を参照）。第１枠部材（104）は、第１吸着熱交換器（51）の上流側の面に沿うような略板状で、且つ前後に空気が通過可能な開口を有する枠状に形成されている。第１枠部材（104）では、第１吸着熱交換器（51）の上流側の面のほぼ全域を露出させるように開口（図示省略）が形成されている。第１枠部材（104）の上端部は、第１フレーム部材（103）の下端とほぼ当接し、第１枠部材（104）の下端部はケーシング（11）の底面に設置されている。また、第１枠部材（104）の右端部は、第１仕切板（74）と当接しており、第１枠部材（104）と第１仕切板（74）とは、２本のビス（104a,104a）によって締結される。一方、第１枠部材（104）の左端部は、中央仕切板（73）よりもやや右側寄りに位置している。
【００９６】
第１枠部材（104）の外周縁部には、シール部材が形成されている。これにより、第１枠部材（104）の上流側の空気がその外周側を流れることが抑制される一方、この空気は第１枠部材（104）の内部の開口を通って第１吸着熱交換器（51）を通過する。また、第１枠部材（104）は、第１吸着熱交換器（51）と一体的に固定されている。つまり、第１枠部材（104）は、第１吸着熱交換器（51）と共にスライド自在に構成されている。
【００９７】
第２熱交換器室（38）には、第２吸着熱交換器（52）の上流側（後側）の上端部に第２フレーム部材（105）が設けられている（例えば図１及び図４を参照）。第２フレーム部材（105）は、その縦断面が下側に開放するコ字状であって、中央仕切板（73）から第２仕切板（75）に亘って延びて形成されている。第２フレーム部材（105）は、その上端面がケーシング（11）の天板に固定され、その内部に第２吸着熱交換器（52）の上端部が位置するようにケーシング（11）に支持されている。
【００９８】
また、第２吸着熱交換器（52）の上流端近傍には、第２枠部材（106）が設けられている（例えば図１及び図９を参照）。第２枠部材（106）は、第２吸着熱交換器（52）の上流側の面に沿うような略板状で、且つ前後に空気が通過可能な開口を有する枠状に形成されている。第２枠部材（106）では、第２吸着熱交換器（52）の上流側の面のほぼ全域を露出させるように開口（図示省略）が形成されている。第２枠部材（106）の上端部は、上記第２フレーム部材（105）の上端面と当接する一方、第２枠部材（106）の下端部はケーシング（11）の底面に設置されている。また、第２枠部材（106）の右端部は、詳細は後述する仕切板開口部（73a）を通過して上記第１枠部材（104）の左端部と当接している（図９を参照）。なお、第２枠部材（106）の右端部には、当接状態の第１枠部材（104）の端部を挟み込んで保持する止め金部材（107）が設けられている（例えば図１５を参照）。
【００９９】
第２枠部材（106）の外周縁部には、シール部材が形成されている。これにより、第２枠部材（106）の上流側の空気がその外周側を流れることが抑制される一方、この空気は第２枠部材（106）の内部の開口を通って第２吸着熱交換器（52）を通過する。また、第２枠部材（106）は、第２吸着熱交換器（52）と一体的に固定されている。つまり、第２枠部材（106）は、第２吸着熱交換器（52）と共にスライド自在に構成されている。
【０１００】
上記第１熱交換器室（37）では、上記第１枠部材（104）及び第１吸着熱交換器（51）によって前後に２つの空間が区画されている。つまり、第１熱交換器室（37）では、第１吸着熱交換器（51）の上流側に第１上流側空間（37a）が形成され、第１吸着熱交換器（51）の下流側に第１下流側空間（37b）が形成されている。同様に、第２熱交換器室（38）では、上記第２枠部材（106）及び第２吸着熱交換器（52）によって前後に２つの空間が区画されている。つまり、第２熱交換器室（38）では、第２吸着熱交換器（52）の上流側に第２上流側空間（38a）が形成され、第２吸着熱交換器（52）の下流側に第２下流側空間（38b）が形成されている。
【０１０１】
各吸着熱交換器室（37,38）では、各々の下流側空間（37b,38b）における空気流れ方向（前後方向）の幅寸法Ｗ１の長さが、対応する上流側空間（37a,38a）における空気流れ方向（前後方向）の幅寸法Ｗ２の長さよりも大きくなっている（図３を参照）。即ち、各吸着熱交換器室（37,38）では、各吸着熱交換器（51,52）が該吸着熱交換器室（37,38）の幅方向の中間位置よりも後方寄りに配置されている。
【０１０２】
上述のように中央仕切板（73）には、仕切板開口部（73a）が形成されている。仕切板開口部（73a）は、中央仕切板（73）において２つの吸着熱交換器（51,52）と左右方向に連なる部位に形成されている。仕切板開口部（73a）は、第２吸着熱交換器（52）及び第２枠部材（106）を第１側面パネル部（14）側から視た場合において、これらの第２吸着熱交換器（52）及び第２枠部材（106）の外形の輪郭に沿うような形状をしている。つまり、仕切板開口部（73a）は、第２枠部材（106）及び第２吸着熱交換器（52）の通過を許容するような縦長の長方形状に形成されている。これにより、第２枠部材（106）及び第２吸着熱交換器（52）は、仕切板開口部（73a）を通じて、第２熱交換器室（38）と第１熱交換器室（37）との間を移動可能に構成されている。
【０１０３】
また、各吸着熱交換器（51,52）における伝熱管（58）の両端部には、該伝熱管（58）を支持するための管板（60）が設けられている。これらの管板（60）のうち第２吸着熱交換器（52）における第１側面パネル部（14）側の管板（60a）は、中央仕切板（73）の仕切板開口部（73a）を閉塞する閉塞部材を構成している。即ち、第２吸着熱交換器（52）は、例えば図３に示すような通常の設置状態において、中央仕切板（73）と近接して配置されている。この状態の第２吸着熱交換器（52）では、その管板（60a）が中央仕切板（73）に一致するように仕切板開口部（73a）に嵌合する。その結果、第１熱交換器室（37）と第２熱交換器室（38）とは、第２吸着熱交換器（52）の管板（60a）と中央仕切板（73）とによって仕切られるので、両熱交換器室（37,38）の間での空気の漏れが抑制される。
【０１０４】
更に、第２吸着熱交換器（52）の管板（60a）の外縁部には、枠状仕切部材（108）が設けられている。枠状仕切部材（108）は、管板（60a）の上端部に形成される上側鍔部（108a）と、管板（60a）の前側端部に亘って形成される側方鍔部（108b）とを有している。上側鍔部（108a）は、その縦断面が略Ｌ字状に形成されて前後に延びている。上側鍔部（108a）は、その側方（左側）の端面が上記管板（60a）に固定されている。一方、上記側方鍔部（108b）は、その上端が側方に屈曲しており、この屈曲した上端面が上記上側鍔部（108a）の下端面にビスを介して締結されている。一方、側方鍔部（108b）の本体は上下に延びる板状に形成され、その後側寄りの部位が上記管板（60a）の前端部に固定されている。枠状仕切部材（108）は、その外縁部が管板（60a）の外縁よりも外側に位置している。つまり、枠状仕切部材（108）は、管板（60a）の上端部及び前端部を拡大させるように外側に延出するような形状をしている。また、枠状仕切部材（108）の内部には、管板（60a）を貫通する伝熱管（58）やＵ字管部（59）が位置している（図９では伝熱管やＵ字管部の図示を省略している）。
【０１０５】
枠状仕切部材（108）は、第１熱交換器室（37）に面するように管板（60a）に取り付けられている。つまり、枠状仕切部材（108）は、仕切板開口部（73a）に挿通された状態の管板（60a）に第１熱交換器室（37）側から固定されている。そして、第２吸着熱交換器（52）の通常の設置状態では、上記枠状仕切部材（108）が中央仕切板（73）の右側の面における仕切板開口部（73a）の外縁部に当接する。その結果、この当接部が、仕切板開口部（73a）と管板（60a）との間の隙間をシールするシール部を構成する。また、このように枠状仕切部材（108）が中央仕切板（73）と当接することで、枠状仕切部材（108）と一体となる第２吸着熱交換器（52）が、図３の通常の設置位置よりも更に奥側（第２側面パネル部（15）側）へ移動してしまうことがない。つまり、枠状仕切部材（108）は、第２吸着熱交換器（52）の位置決め部材も兼ねている。なお、枠状仕切部材（108）と中央仕切板（73）との間の当接部には、所定のシール部材を介設するのが好ましい。これにより、両熱交換器室（37,38）の間における空気の漏れを一層効果的に抑制することができる。
【０１０６】
〈吸着熱交換器の周囲の取付構造〉
次に、２つの吸着熱交換器（51,52）の周囲の冷媒配管、及び該冷媒配管に取り付けられる構成機器の取付構造について図３、図６、及び図９を参照しながら説明する。本実施形態では、吸着熱交換器（51,52）の周囲の冷媒配管、及び該冷媒配管に取り付けられる構成機器が全て第１熱交換器室（37）に集約するように配設されている。
【０１０７】
第１吸着熱交換器（51）には、ガス側配管としての上記第１連絡配管（61）の一端が繋がっている。第１連絡配管（61）は、第１ガス側ヘッダ（61a）と第１内側配管（61b）と第１外側配管（61c）とを有している。
【０１０８】
第１ガス側ヘッダ（61a）は、その分流管が第１吸着熱交換器（51）の右側（第１側面パネル部側）の端部に接続されている。第１ガス側ヘッダ（61a）の合流管側は、第１吸着熱交換器（51）の上部前面に沿うように屈曲し、更に下方に屈曲している。そして、第１ガス側ヘッダ（61a）の合流管の下端部に上記第１内側配管（61b）の一端が接続されている。第１内側配管（61b）の他端側は、右側方、上方、前方の順に屈曲している。そして、第１内側配管（61b）の他端部には、上記第１継手部材（64）のフレアナット（64b）が取り付けられている。これに対し、第１熱交換器室（37）には、上記下流側仕切板（72）を貫通するようにして第１継手部材（64）の継手本体（64a）が臨んでいる（図３を参照）。このようにして、第１継手部材（64）は、第１熱交換器室（37）における第１側面パネル部（14）側寄りに配置され、フレアナット（64b）と継手本体（64a）とが連結可能となっている。
【０１０９】
一方、給気ファン室（36）には、第１継手部材（64）の継手本体（64a）と繋がる上記第１外側配管（61c）が配設されている（図３を参照）。第１外側配管（61c）の終端は、四方切換弁（54）に接続されている。
【０１１０】
第２吸着熱交換器（52）には、ガス側配管としての上記第２連絡配管（63）の一端が繋がっている。第２連絡配管（63）は、第２ガス側ヘッダ（63a）と第２内側配管（63b）と第２外側配管（63c）とを有している。
【０１１１】
第２ガス側ヘッダ（63a）は、その分流管が第２吸着熱交換器（52）の右側（第１側面パネル部側）の端部に接続されている。即ち、第２吸着熱交換器（52）では、その右側の管板（60a）が上述した仕切板開口部（73a）を通じて第１熱交換器室（37）側に露出されている。従って、第２ガス側ヘッダ（63a）の分流管は、仕切板開口部（73a）を貫通するようにして第２吸着熱交換器（52）に接続される。第２ガス側ヘッダ（63a）の合流管側は、第２吸着熱交換器（52）の上部寄りの位置から下方に延びている。そして、第２ガス側ヘッダ（63a）の合流管の下端部に上記第２内側配管（63b）の一端が接続されている。第２内側配管（63b）の他端側は、右側方、上方、前方の順に屈曲している。そして、第２内側配管（63b）の他端部には、上記第２継手部材（67）のフレアナット（67b）が取り付けられている。これに対し、第１熱交換器室（37）には、上記下流側仕切板（72）を貫通するようにして第２継手部材（67）の継手本体（67a）が臨んでいる（図３を参照）。このようにして、第２継手部材（67）は、第１熱交換器室（37）における中央仕切板（73）側（第１側面パネル部と反対側）寄りに配置され、フレアナット（67b）と継手本体（67a）とが連結可能となっている。
【０１１２】
一方、給気ファン室（36）には、第２継手部材（67）の継手本体（67a）と繋がる上記第２外側配管（63c）が配設されている（図３を参照）。第２外側配管（63c）の終端は、四方切換弁（54）に接続されている。
【０１１３】
また、第１吸着熱交換器（51）と第２吸着熱交換器（52）とは、上記中間配管（62）によって互いに接続されている。中間配管（62）は、第１液側分流器（62a）とストレート配管（62b）と第２液側分流器（62c）とを有している。
【０１１４】
第１液側分流器（62a）は、その分流管が第１吸着熱交換器（51）の右側の端部に接続されている。第１液側分流器（62a）の合流管側には、上記電動膨張弁（55）が接続されている。また、電動膨張弁（55）の上流近傍及び下流近傍の冷媒配管には、冷媒中の不純物を除去するためのフィルタ（68,68）がそれぞれ設けられている。第１液側分流器（62a）の合流管は、下方に延びており、その下端部に上記第３継手部材（65）のフレアナット（65b）が取り付けられている。
【０１１５】
第２液側分流器（62c）は、その分流管が第２吸着熱交換器（52）の右側の端部に接続されている。上述した第２ガス側ヘッダ（63a）と同様、第２液側分流器（62c）は、中央仕切板（73）の仕切板開口部（73a）を貫通するようにして第２吸着熱交換器（52）に接続される。第２液側分流器（62c）の合流管側は、下方に延びてから右側方へ屈曲している。そして、この屈曲した部位には、第４継手部材（66）の継手本体（66a）が取り付けられている。
【０１１６】
上記ストレート配管（62b）は、第１熱交換器室（37）の底面に沿うように左右方向に延びている。つまり、ストレート配管（62b）は、第１仕切板（74）から中央仕切板（73）に亘って直線状に延びている。また、ストレート配管（62b）の周囲には、断熱材等が巻かれている。ストレート配管（62b）の右側の一端部には、第３継手部材（65）の継手本体（65a）が取り付けられている。このようにして、第３継手部材（65）は、第１熱交換器室（37）における第１側面パネル部（14）側寄りに配置され、フレアナット（65b）と継手本体（65a）とが連結可能となっている。一方、ストレート配管（62b）の左側の他端部には、第４継手部材（66）のフレアナット（66b）が取り付けられている。このようにして、第４継手部材（66）は、第１熱交換器室（37）における中央仕切板（73）側（第１側面パネル部と反対側）寄りに配置され、フレアナット（66b）と継手本体（66a）とが連結可能となっている。
【０１１７】
以上のような構成により、第１吸着熱交換器（51）と第２吸着熱交換器（52）とが冷媒回路（50）から個別に切り離し可能となっている。即ち、第１吸着熱交換器（51）は、第１継手部材（64）及び第３継手部材（65）の連結をそれぞれ解除することで、冷媒回路（50）から切り離し可能に構成されている。また、第２吸着熱交換器（52）は、第２継手部材（67）及び第４継手部材（66）の連結をそれぞれ解除することで、冷媒回路（50）から切り離し可能に構成されている。更に、冷媒回路（50）では、第３継手部材（65）及び第４継手部材（66）の連結をそれぞれ解除することで、両継手部材（65,66）の間のストレート配管（62b）も切り離し可能に構成されている。
【０１１８】
−運転動作−
本実施形態の調湿装置（10）は、除湿換気運転と、加湿換気運転と、単純換気運転とを選択的に行う。除湿換気運転中や加湿換気運転中の調湿装置（10）は、取り込んだ室外空気（OA）を湿度調節してから供給空気（SA）として室内へ供給すると同時に、取り込んだ室内空気（RA）を排出空気（EA）として室外へ排出する。一方、単純換気運転中の調湿装置（10）は、取り込んだ室外空気（OA）をそのまま供給空気（SA）として室内へ供給すると同時に、取り込んだ室内空気（RA）をそのまま排出空気（EA）として室外へ排出する。
【０１１９】
〈除湿換気運転〉
除湿換気運転中の調湿装置（10）では、後述する第１動作と第２動作が所定の時間間隔（例えば３分間隔）で交互に繰り返される。この除湿換気運転中において、第１バイパス用ダンパ（83）及び第２バイパス用ダンパ（84）は、常に閉状態となる。
【０１２０】
除湿換気運転中の調湿装置（10）において、給気ファン（26）を運転すると、室外空気が外気吸込口（24）からケーシング（11）内へ第１空気として取り込まれる。また、排気ファン（25）を運転すると、室内空気が内気吸込口（23）からケーシング（11）内へ第２空気として取り込まれる。
【０１２１】
先ず、除湿換気運転の第１動作について説明する。図１０に示すように、この第１動作中には、第１内気側ダンパ（41）、第２外気側ダンパ（44）、第２給気側ダンパ（46）、及び第１排気側ダンパ（47）が開状態となり、第２内気側ダンパ（42）、第１外気側ダンパ（43）、第１給気側ダンパ（45）、及び第２排気側ダンパ（48）が閉状態となる。
【０１２２】
この第１動作中の冷媒回路（50）では、図６(Ａ)に示すように、四方切換弁（54）が第１状態に設定される。この状態の冷媒回路（50）では、冷媒が循環して冷凍サイクルが行われる。その際、冷媒回路（50）では、圧縮機（53）から吐出された冷媒が第１吸着熱交換器（51）、電動膨張弁（55）、第２吸着熱交換器（52）の順に通過し、第１吸着熱交換器（51）が凝縮器となって第２吸着熱交換器（52）が蒸発器となる。
【０１２３】
外気側通路（34）へ流入して外気側フィルタ（28）を通過した第１空気は、第２外気側ダンパ（44）を通って第２熱交換器室（38）へ流入し、その後に第２吸着熱交換器（52）を通過する。第２吸着熱交換器（52）では、第１空気中の水分が吸着剤に吸着され、その際に生じた吸着熱が冷媒に吸熱される。第２吸着熱交換器（52）で除湿された第１空気は、第２給気側ダンパ（46）を通って給気側通路（31）へ流入し、給気ファン室（36）を通過後に給気口（22）を通って室内へ供給される。
【０１２４】
一方、内気側通路（32）へ流入して内気側フィルタ（27）を通過した第２空気は、第１内気側ダンパ（41）を通って第１熱交換器室（37）へ流入し、その後に第１吸着熱交換器（51）を通過する。第１吸着熱交換器（51）では、冷媒で加熱された吸着剤から水分が脱離し、この脱離した水分が第２空気に付与される。第１吸着熱交換器（51）で水分を付与された第２空気は、第１排気側ダンパ（47）を通って排気側通路（33）へ流入し、排気ファン室（35）を通過後に排気口（21）を通って室外へ排出される。
【０１２５】
次に、除湿換気運転の第２動作について説明する。図１１に示すように、この第２動作中には、第２内気側ダンパ（42）、第１外気側ダンパ（43）、第１給気側ダンパ（45）、及び第２排気側ダンパ（48）が開状態となり、第１内気側ダンパ（41）、第２外気側ダンパ（44）、第２給気側ダンパ（46）、及び第１排気側ダンパ（47）が閉状態となる。
【０１２６】
この第２動作中の冷媒回路（50）では、図６(Ｂ)に示すように、四方切換弁（54）が第２状態に設定される。この状態の冷媒回路（50）では、冷媒が循環して冷凍サイクルが行われる。その際、冷媒回路（50）では、圧縮機（53）から吐出された冷媒が第２吸着熱交換器（52）、電動膨張弁（55）、第１吸着熱交換器（51）の順に通過し、第１吸着熱交換器（51）が蒸発器となって第２吸着熱交換器（52）が凝縮器となる。
【０１２７】
外気側通路（34）へ流入して外気側フィルタ（28）を通過した第１空気は、第１外気側ダンパ（43）を通って第１熱交換器室（37）へ流入し、その後に第１吸着熱交換器（51）を通過する。第１吸着熱交換器（51）では、第１空気中の水分が吸着剤に吸着され、その際に生じた吸着熱が冷媒に吸熱される。第１吸着熱交換器（51）で除湿された第１空気は、第１給気側ダンパ（45）を通って給気側通路（31）へ流入し、給気ファン室（36）を通過後に給気口（22）を通って室内へ供給される。
【０１２８】
一方、内気側通路（32）へ流入して内気側フィルタ（27）を通過した第２空気は、第２内気側ダンパ（42）を通って第２熱交換器室（38）へ流入し、その後に第２吸着熱交換器（52）を通過する。第２吸着熱交換器（52）では、冷媒で加熱された吸着剤から水分が脱離し、この脱離した水分が第２空気に付与される。第２吸着熱交換器（52）で水分を付与された第２空気は、第２排気側ダンパ（48）を通って排気側通路（33）へ流入し、排気ファン室（35）を通過後に排気口（21）を通って室外へ排出される。
【０１２９】
〈加湿換気運転〉
加湿換気運転中の調湿装置（10）では、後述する第１動作と第２動作が所定の時間間隔（例えば３分間隔）で交互に繰り返される。この加湿換気運転中において、第１バイパス用ダンパ（83）及び第２バイパス用ダンパ（84）は、常に閉状態となる。
【０１３０】
加湿換気運転中の調湿装置（10）において、給気ファン（26）を運転すると、室外空気が外気吸込口（24）からケーシング（11）内へ第２空気として取り込まれる。また、排気ファン（25）を運転すると、室内空気が内気吸込口（23）からケーシング（11）内へ第１空気として取り込まれる。
【０１３１】
先ず、加湿換気運転の第１動作について説明する。図１２に示すように、この第１動作中には、第２内気側ダンパ（42）、第１外気側ダンパ（43）、第１給気側ダンパ（45）、及び第２排気側ダンパ（48）が開状態となり、第１内気側ダンパ（41）、第２外気側ダンパ（44）、第２給気側ダンパ（46）、及び第１排気側ダンパ（47）が閉状態となる。
【０１３２】
この第１動作中の冷媒回路（50）では、図６(Ａ)に示すように、四方切換弁（54）が第１状態に設定される。そして、この冷媒回路（50）では、除湿換気運転の第１動作中と同様に、第１吸着熱交換器（51）が凝縮器となって第２吸着熱交換器（52）が蒸発器となる。
【０１３３】
内気側通路（32）へ流入して内気側フィルタ（27）を通過した第１空気は、第２内気側ダンパ（42）を通って第２熱交換器室（38）へ流入し、その後に第２吸着熱交換器（52）を通過する。第２吸着熱交換器（52）では、第１空気中の水分が吸着剤に吸着され、その際に生じた吸着熱が冷媒に吸熱される。第２吸着熱交換器（52）で水分を奪われた第１空気は、第２排気側ダンパ（48）を通って排気側通路（33）へ流入し、排気ファン室（35）を通過後に排気口（21）を通って室外へ排出される。
【０１３４】
一方、外気側通路（34）へ流入して外気側フィルタ（28）を通過した第２空気は、第１外気側ダンパ（43）を通って第１熱交換器室（37）へ流入し、その後に第１吸着熱交換器（51）を通過する。第１吸着熱交換器（51）では、冷媒で加熱された吸着剤から水分が脱離し、この脱離した水分が第２空気に付与される。第１吸着熱交換器（51）で加湿された第２空気は、第１給気側ダンパ（45）を通って給気側通路（31）へ流入し、給気ファン室（36）を通過後に給気口（22）を通って室内へ供給される。
【０１３５】
次に、加湿換気運転の第２動作について説明する。図１３に示すように、この第２動作中には、第１内気側ダンパ（41）、第２外気側ダンパ（44）、第２給気側ダンパ（46）、及び第１排気側ダンパ（47）が開状態となり、第２内気側ダンパ（42）、第１外気側ダンパ（43）、第１給気側ダンパ（45）、及び第２排気側ダンパ（48）が閉状態となる。
【０１３６】
この第２動作中の冷媒回路（50）では、図６(Ｂ)に示すように、四方切換弁（54）が第２状態に設定される。そして、この冷媒回路（50）では、除湿換気運転の第２動作中と同様に、第１吸着熱交換器（51）が蒸発器となって第２吸着熱交換器（52）が凝縮器となる。
【０１３７】
内気側通路（32）へ流入して内気側フィルタ（27）を通過した第１空気は、第１内気側ダンパ（41）を通って第１熱交換器室（37）へ流入し、その後に第１吸着熱交換器（51）を通過する。第１吸着熱交換器（51）では、第１空気中の水分が吸着剤に吸着され、その際に生じた吸着熱が冷媒に吸熱される。第１吸着熱交換器（51）で水分を奪われた第１空気は、第１排気側ダンパ（47）を通って排気側通路（33）へ流入し、排気ファン室（35）を通過後に排気口（21）を通って室外へ排出される。
【０１３８】
一方、外気側通路（34）へ流入して外気側フィルタ（28）を通過した第２空気は、第２外気側ダンパ（44）を通って第２熱交換器室（38）へ流入し、その後に第２吸着熱交換器（52）を通過する。第２吸着熱交換器（52）では、冷媒で加熱された吸着剤から水分が脱離し、この脱離した水分が第２空気に付与される。第２吸着熱交換器（52）で加湿された第２空気は、第２給気側ダンパ（46）を通って給気側通路（31）へ流入し、給気ファン室（36）を通過後に給気口（22）を通って室内へ供給される。
【０１３９】
〈単純換気運転〉
単純換気運転中における調湿装置（10）の動作について、図１４を参照しながら説明する。この単純換気運転は、外気をそのまま室内へ供給しても室内の快適性が損なわれない時期（例えば、春季や秋季などの中間期）に行われる。つまり、この単純換気運転は、室内へ供給される空気の湿度調節は不要であるが、室内の換気は行う必要がある場合に実行される。
【０１４０】
この単純換気運転では、第１バイパス用ダンパ（83）及び第２バイパス用ダンパ（84）が開状態となり、第１内気側ダンパ（41）、第２内気側ダンパ（42）、第１外気側ダンパ（43）、第２外気側ダンパ（44）、第１給気側ダンパ（45）、第２給気側ダンパ（46）、第１排気側ダンパ（47）、及び第２排気側ダンパ（48）が閉状態となる。また、単純換気運転中において、冷媒回路（50）の圧縮機（53）は停止状態となる。つまり、単純換気運転中において、冷媒回路（50）での冷凍サイクルは行われない。
【０１４１】
単純換気運転中の調湿装置（10）において、給気ファン（26）を運転すると、室外空気が外気吸込口（24）からケーシング（11）内へ取り込まれる。外気吸込口（24）を通って外気側通路（34）へ流入した室外空気は、外気側フィルタ（28）を通過後に第１バイパス通路（81）へ流入し、第１バイパス用ダンパ（83）を通って給気ファン室（36）へ流入する。給気ファン室（36）へ流入した室外空気は、給気ファン（26）へ吸い込まれ、給気口（22）を通って室内へ供給される。
【０１４２】
また、単純換気運転中の調湿装置（10）において、排気ファン（25）を運転すると、室内空気が内気吸込口（23）からケーシング（11）内へ取り込まれる。内気吸込口（23）を通って内気側通路（32）へ流入した室内空気は、内気側フィルタ（27）を通過後に第２バイパス通路（82）へ流入し、第２バイパス用ダンパ（84）を通って排気ファン室（35）へ流入する。排気ファン室（35）へ流入した室内空気は、排気ファン（25）へ吸い込まれ、排気口（21）を通って室外へ排出される。
【０１４３】
−吸着熱交換器のメンテナンス作業について−
次に、上述した２つの吸着熱交換器（51,52）や、各吸着熱交換器（51,52）の周囲に繋がる冷媒配管及び構成機器のメンテナンス作業について説明する。
【０１４４】
各吸着熱交換器（51,52）のメンテナンスを行う際には、例えば図１に示す第１側面パネル部（14）の第１開閉パネル（14a）を開放させる。その結果、ケーシング（11）の外部に対して第１バイパス通路（81）が露出された状態となる（図２を参照）。次いで、第１仕切板（74）の第２開閉パネル（74a）を開放させる。その結果、ケーシング（11）の外部に対して第１熱交換器室（37）の内部が露出された状態となる。また、この際には、第１仕切板（74）と第１枠部材（104）とを締結する２本のビス（104a,104a）を取り外す。これにより、第１枠部材（104）は、ケーシング（11）に対する固定が完全に解除された状態となる。
【０１４５】
次に、第１吸着熱交換器（51）を冷媒回路（50）から切り離す作業を行う。具体的には、図９に示すような状態において、第１側面パネル部（14）側に臨むように配置される第３継手部材（65）の連結を解除する。また、第１側面パネル部（14）側に臨むように配置される第１継手部材（64）の連結も解除する。その結果、第１吸着熱交換器（51）が冷媒回路（50）から切り離されて移動可能となる。
【０１４６】
この状態の第１吸着熱交換器（51）を上述したレール部材（102,102）に沿うように第１側面パネル部（14）側へ引き出す。第１吸着熱交換器（51）をスライドさせると、第１吸着熱交換器（51）と一体となった各構成部品も第１吸着熱交換器（51）と共に移動する（図１５を参照）。具体的に、第１吸着熱交換器（51）と一体的に移動する構成部品としては、第１枠部材（104）、第１ガス側ヘッダ（61a）、第１内側配管（61b）、第１継手部材（64）のフレアナット（64a）、第１液側分流器（62a）、電動膨張弁（55）、フィルタ（68,68）、第３継手部材（65）のフレアナット（65b）等が挙げられる。以上のようにして、第１吸着熱交換器（51）及びこれと一体となった他の構成部品をケーシング（11）の外部へ引き出すことで、これらのメンテナンスを行うことができる。
【０１４７】
その後、更に第２吸着熱交換器（52）のメンテナンスを行う場合には、まず、第４継手部材（66）の連結を解除する。なお、この際には、第１熱交換器室（37）の内部には充分なスペースが確保されているので、容易に第４継手部材（66）の連結を解除することができる。以上のようにして、第４継手部材（66）と第３継手部材（65）の連結が解除された状態となると、冷媒回路（50）からストレート配管（62b）が切り離された状態となる。従って、この状態のストレート配管（62b）をケーシング（11）の外部へ個別に引き出すことができる（図１６を参照）。
【０１４８】
次いで、第２継手部材（67）の連結を解除する。その結果、冷媒回路（50）から第２吸着熱交換器（52）が切り離された状態となる。この状態の第２吸着熱交換器（52）をレール部材（102,102）に沿うように第１側面パネル部（14）側へ引き出す。その結果、第２吸着熱交換器（52）は、中央仕切板（73）の仕切板開口部（73a）を通過しながら第１熱交換器室（37）側へ移動する。このように第２吸着熱交換器（52）をスライドさせると、第２吸着熱交換器（52）と一体となった各構成部品も第２吸着熱交換器（52）と共に移動する（図１７を参照）。具体的に、第２吸着熱交換器（52）と一体的に移動する構成部品としては、第２枠部材（106）、第２ガス側ヘッダ（63a）、第２内側配管（63b）、第２継手部材（67）のフレアナット（67b）、第２液側分流器（62c）、第４継手部材（66）の継手本体（66a）等が挙げられる。以上のようにして、第１熱交換器室（37）まで移動した第２吸着熱交換器（52）等を更に引き出すことで、これらのメンテナンスを行うことができる。なお、上記ストレート配管（65b）を取り出す前に第２継手部材（67）の連結を解除し、第２吸着熱交換器（52）を少しだけ引き出してから上記第４継手部材（66）の連結を解除しても良い。
【０１４９】
以上のようにしてメンテナンスが終了した後には、上記の手順と概ね逆の手順により、各構成機器が元の位置に戻される。即ち、第２吸着熱交換器（52）をレール部材（102,102）に沿って第２熱交換器室（38）に押し入れて第２継手部材（67）を連結し、更にストレート配管（62b）を第１熱交換器室（37）に押し入れて第４継手部材（66）を連結する。次に、第１吸着熱交換器（51）をレール部材（102,102）に沿って第１熱交換器室（37）に押し入れる。この際、第１吸着熱交換器（51）と一体となる第１枠部材（104）の左端部を図１５に示す止め金部材（107）に保持させる。これにより、第１枠部材（104）と第２枠部材（106）とが一体的に連結され、各枠部材（104,106）の固定状態が安定する。次いで、第１継手部材（64）及び第３継手部材（65）が連結し、第２開閉パネル（74a）を閉鎖する。同時に、第１枠部材（104）と第１仕切板（74）とをビス（104a,104a）によって締結する。その後、第１開閉パネル（14a）を閉鎖することで、調湿装置（10）が図１に示すような元の状態となる。
【０１５０】
−実施形態の効果−
上記実施形態では、各吸着熱交換器（51,52）を冷媒回路（50）から切り離し可能に構成すると共に、各熱交換器室（37,38）の吸着熱交換器（51,52）を第１開閉パネル（14a）及び第２開閉パネル（74a）のメンテナンス開口部からケーシング（11）の外部へ引き出せるようにしている。従って、各吸着熱交換器（51,52）を容易に取り出してメンテナンスを行うことができる。
【０１５１】
また、両者の吸着熱交換器（51,52）は、ケーシング（11）の同一方向の側面（即ち、第１側面パネル部（14））側から引き出されるので、ケーシング（11）の外部のメンテナンス用のスペースを最小限に抑えることができ、ケーシング（11）の設置箇所の自由度が向上する。
【０１５２】
また、各吸着熱交換器（51,52）は、それぞれ個別に引き出されるので、例えば双方の吸着熱交換器（51,52）を一体的に引き出す場合と比較して、上記メンテナンス用スペースの奥行きを短くできる。
【０１５３】
更に、４つの継手部材（64,65,66,67）を設けてストレート配管（62b）も個別に引き出すようにしたので、メンテナンス性が向上する。具体的に、例えば図９に示すような構成において、仮に第３継手部材（65）を設けない場合には、第１吸着熱交換器（51）を引き出す際に、中央仕切板（73）側寄りの第４継手部材（66）の連結を解除する必要が生じる。第１吸着熱交換器（51）が第１熱交換器室（37）に設置された状態で第４継手部材（66）の連結を解除するのは容易ではない。また、同図に示すような構成において、仮に第４継手部材（66）を設けない場合、第１吸着熱交換器（51）を取り外した後、第２吸着熱交換器（52）をストレート配管（62b）と共にケーシング（11）の外部へ引き出す必要がある。この場合、ケーシング（11）の外部のメンテナンススペースの奥行きとして第２吸着熱交換器（52）とストレート配管（62b）とを合わせた引き出し方向の全長分が必要となる。
【０１５４】
一方、上記実施形態のようにストレート配管（62b）の両端に継手部材（65,66）を設けることで、両継手部材（65,66）の連結や連結の解除作業も容易となり、しかもストレート配管（62b）を個別に引き出すことで、上記メンテナンススペースの奥行きも最小限に抑えることができる。
【０１５５】
更に、全ての継手部材（64,65,66,67）を第１熱交換器室（37）に集約したことで、メンテナンス開口部側から各継手部材（64,65,66,67）の連結や連結の解除作業を容易に行うことができる。また、第１熱交換器室（37）では、第１下流側空間（37b）の幅寸法Ｗ１を第１上流側空間（37a）の幅寸法Ｗ２よりも大きくし（図３参照）、幅広となる第１下流側空間（37b）に全ての継手部材（64,65,66,67）を配置したので、これらの継手部材（64,65,66,67）の連結や連結作業を更に容易に行うことができる。
【０１５６】
また、中央仕切板（73）に仕切板開口部（73a）を形成することで、中央仕切板（73）をケーシング（11）から取り外すことなく、第２吸着熱交換器（52）を仕切板開口部（73a）を通じて第１熱交換器室（37）に引き出すことができる。ここで、通常の設置状態の第２吸着熱交換器（52）では、その管板（60a）が仕切板開口部（73a）を閉塞する閉塞部材を兼ねているので、２つの熱交換器室（37,38）の間での空気の漏れを抑制できる。
【０１５７】
《その他の実施形態》
上記実施形態については、以下のような構成としてもよい。
【０１５８】
また、上記実施形態では、第１熱交換器室（37）において、その下流側の空間（37b）を上流側の空間（37a）よりも幅広とし、下流側の空間（37b）に各継手部材（64,65,66,67）を配置している。しかしながら、上流側の空間（37a）を下流側の空間（37b）よりも幅広とし、上流側の空間（37a）に継手部材（64,65,66,67）を配置するようにしても良い。
【０１５９】
なお、以上の実施形態は、本質的に好ましい例示であって、本発明、その適用物、あるいはその用途の範囲を制限することを意図するものではない。
【産業上の利用可能性】
【０１６０】
以上説明したように、本発明は、吸着熱交換器で空気の湿度調節を行う調湿装置について有用である。
【図面の簡単な説明】
【０１６１】
【図１】前面側から見た調湿装置をケーシングの天板を省略して示す斜視図である。
【図２】前面側から見た調湿装置をケーシングの一部および電装品箱を省略して示す斜視図である。
【図３】調湿装置をケーシングの天板を省略して示す平面図である。
【図４】背面側から見た調湿装置をケーシングの天板を省略して示す斜視図である。
【図５】調湿装置の一部を省略して示す概略の平面図、右側面図、及び左側面図である。
【図６】冷媒回路の構成を示す配管系統図であって、(Ａ)は第１動作中の動作を示すものであり、(Ｂ)は第２動作中の動作を示すものである。
【図７】吸着熱交換器の概略斜視図である。
【図８】吸着熱交換器の設置構造の概略の縦断面図である。
【図９】２つの吸着熱交換器と、その周りの配管の取付構造を示す斜視図である。
【図１０】除湿換気運転の第１動作における空気の流れを示す調湿装置の概略の平面図、右側面図、及び左側面図である。
【図１１】除湿換気運転の第２動作における空気の流れを示す調湿装置の概略の平面図、右側面図、及び左側面図である。
【図１２】加湿換気運転の第１動作における空気の流れを示す調湿装置の概略の平面図、右側面図、及び左側面図である。
【図１３】加湿換気運転の第２動作における空気の流れを示す調湿装置の概略の平面図、右側面図、及び左側面図である。
【図１４】単純換気運転における空気の流れを示す調湿装置の概略の平面図、右側面図、及び左側面図である。
【図１５】図９において、第１吸着熱交換器を引き出した状態を示すものである。
【図１６】図９において、ストレート配管を引き出した状態を示すものである。
【図１７】図９において、第２吸着熱交換器を引き出した状態を示すものである。
【符号の説明】
【０１６２】
10   調湿装置
11   ケーシング
14a  第１開閉パネル（メンテナンス開口部）
37   第１熱交換器室（熱交換器室）
37a  第１上流側空間（上流側の空間）
37b  第１下流側空間（下流側の空間）
38   第２熱交換器室（熱交換器室）
50   冷媒回路
51   第１吸着熱交換器（吸着熱交換器）
52   第２吸着熱交換器（吸着熱交換器）
58   伝熱管
60a  管板
61   第１連絡配管（ガス側配管）
62   中間配管（液側配管）
63   第２連絡配管（ガス側配管）
64   第１継手部材
65   第３継手部材
66   第４継手部材
67   第２継手部材
73   仕切板
73a  仕切板開口部
74a  第２開閉パネル（メンテナンス開口部）
102  レール部材
【図１】
0005169149.tif 000002
【図２】
0005169149.tif 000003
【図３】
0005169149.tif 000004
【図４】
0005169149.tif 000005
【図５】
0005169149.tif 000006
【図６】
0005169149.tif 000007
【図７】
0005169149.tif 000008
【図８】
0005169149.tif 000009
【図９】
0005169149.tif 000010
【図１０】
0005169149.tif 000011
【図１１】
0005169149.tif 000012
【図１２】
0005169149.tif 000013
【図１３】
0005169149.tif 000014
【図１４】
0005169149.tif 000015
【図１５】
0005169149.tif 000016
【図１６】
0005169149.tif 000017
【図１７】
0005169149.tif 000018